(57)【特許請求の範囲】
【請求項１】
板状の第１壁部を備えた第１部材と、板状の第２壁部を備えた第２部材とを備えて、前記第１壁部の先端と前記第２壁部の先端とを互いに対向させて突き当てることで筐体を構成し、
前記第１壁部は、第１コア部材と、前記第１コア部材の外面に形成した第１弾性部材とで構成され、前記第２壁部は、第２コア部材と、前記第２コア部材の外面に形成した第２弾性部材とで構成され、
前記第１弾性部材の先端と前記第２弾性部材の先端とを互いに対向させて突き当てた場合、前記第１コア部材の先端と前記第２コア部材の先端との間に隙間が形成され、
前記第１弾性部材の先端は、前記第１コア部材の先端よりも突出し、前記第１弾性部材の外面側の突出量が内面側の突出量より大きい第１段部を有する
ことを特徴とする電気機器。
【請求項２】
前記第２弾性部材の先端は、前記第２コア部材の先端よりも突出していることを特徴とする請求項１記載の電気機器。
【請求項３】
前記第２弾性部材の先端は、前記第２弾性部材の外面側の突出量が内面側の突出量より大きい第２段部を有することを特徴とする請求項２記載の電気機器。
【発明の詳細な説明】
【技術分野】
【０００１】
本発明は、電気機器に関する。
【背景技術】
【０００２】
従来、複数の部材を組み合わせて筐体を構成する電気機器がある。たとえば、特許文献１では、一面が開口した箱型の第１部材と、一面が開口した箱型の第２部材とを組み合わせて筐体を構成している。
【先行技術文献】
【特許文献】
【０００３】
【特許文献１】特開２０１３−１７１８４５号公報
【発明の概要】
【発明が解決しようとする課題】
【０００４】
しかしながら、従来、筐体を構成する部材間の外観上の境界をフラットにして完全に密着させることは困難であるため、部材間に隙間を形成するなどして、部材同士を結合させていた。この結果、筐体の外面には、部材間の境界が隙間として形成されてしまい、埃、塵などが隙間に入り込み、さらには隙間を通って筐体内に入り込む可能性があった。
【０００５】
本発明は、上記事由に鑑みてなされており、その目的は、筐体を構成する部材間の外面の隙間を小さくできる電気機器を提供することにある。
【課題を解決するための手段】
【０００６】
本発明の電気機器は、板状の第１壁部を備えた第１部材と、板状の第２壁部を備えた第２部材とを備えて、前記第１壁部の先端と前記第２壁部の先端とを互いに対向させて突き当てることで筐体を構成し、前記第１壁部は、第１コア部材と、前記第１コア部材の外面に形成した第１弾性部材とで構成され、前記第２壁部は、第２コア部材と、前記第２コア部材の外面に形成した第２弾性部材とで構成され、前記第１弾性部材の先端と前記第２弾性部材の先端とを互いに対向させて突き当てた場合、前記第１コア部材の先端と前記第２コア部材の先端との間に隙間が形成され、前記第１弾性部材の先端は、前記第１コア部材の先端よりも突出し、前記第１弾性部材の外面側の突出量が内面側の突出量より大きい第１段部を有することを特徴とする。
【発明の効果】
【０００７】
以上説明したように、本発明では、筐体を構成する部材間の外面の隙間を小さくできるという効果がある。
【図面の簡単な説明】
【０００８】
【図１】実施形態の電気機器の要部を示す断面図である。
【図２】実施形態の電気機器の要部を示す断面の斜視図である。
【図３】実施形態の電気機器の構成を示す分解斜視図である。
【図４】実施形態の電気機器を示す前方から見た外観斜視図である。
【図５】実施形態の電気機器の構成を示す正面図である。
【図６】実施形態の電気機器の構成を示すＸ１−Ｘ２断面図である。
【図７】実施形態の電気機器の構成を示すＸ３−Ｘ４断面図である。
【図８】実施形態の磁石ユニット近傍の構成を示す拡大断面図である。
【図９】実施形態のシームレス構造を説明する概略図である。
【図１０】第１変形例のシームレス構造を説明する概略図である。
【図１１】図１１Ａは、第２変形例のシームレス構造を説明する概略図である。図１１Ｂは、第３変形例のシームレス構造を説明する概略図である。
【図１２】図１２Ａは、第４変形例のシームレス構造を説明する概略図である。図１２Ｂは、第５変形例のシームレス構造を説明する概略図である。
【図１３】実施形態の保持構造を示す前方から見た外観斜視図である。
【図１４】実施形態の保持構造を示す後方から見た外観斜視図である。
【発明を実施するための形態】
【０００９】
本実施形態は、電気機器に関する。より詳細には、本実施形態は、第１部材と第２部材とを組み合わせて筐体を構成する電気機器に関する。
【００１０】
以下、本発明の実施の形態を図面に基づいて説明する。
【００１１】
（実施形態）
図１は、本実施形態の電気機器Ａ１の要部の断面図を示し、図２は、電気機器Ａ１の要部の断面斜視図を示す。さらに、図３は、電気機器Ａ１の分解斜視図を示し、図４は、電気機器Ａ１を前方から見た外観斜視図を示す。なお、図４において矢印で示す上下左右前後の方向を、上下左右前後方向と規定して以下説明する。さらに図５は、電気機器Ａ１の正面図を示し、図６は、図５におけるＸ１−Ｘ２断面を下側から見た断面図であり、図７は、図５におけるＸ３−Ｘ４断面を左側から見た断面図である。図８は、電気機器Ａ１の磁石ユニット６近傍の断面図を示す。
【００１２】
本実施形態の電気機器Ａ１は、矩形箱状の筐体１と、筐体１に収納されるメイン基板２、センサユニット３、ミラー４、磁石ユニット６を備えており、メイン基板２上には、撮像ユニット５、制御回路、無線通信回路、アンテナなどが実装されている。電気機器Ａ１は、センサユニット３を用いた人検知、撮像ユニット５を用いた撮像処理を行って、撮像画像のデータを無線信号で送信することができる。すなわち、本実施形態の電気機器Ａ１は、無線通信装置、または撮像装置、またはセンサ装置として機能する。本実施形態の電気機器Ａ１は、電池を電源として動作する。
【００１３】
筐体１は、ケース本体１１と、前面カバー１２と、後面カバー１４とが組み合わされることで構成される。
【００１４】
ケース本体１１は、２色成形によって形成されている。具体的に、ケース本体１１は、ポリカーボネートで形成されたコア部材１１ａの外面の一部を、ポリエステル系エラストマーである弾性部材１１ｂで覆っている。コア部材１１ａは、矩形状の前壁１１ｃと、前壁１１ｃの外周縁から後方へ延設された側壁１１ｄとを有しており、後面が開口した矩形箱状に形成される。そして、側壁１１ｄの外面が、弾性部材１１ｂで覆われている。すなわち、ケース本体１１の後面開口の周縁は、内側にコア部材１１ａの後端があり、外側に弾性部材１１ｂの後端がある。
【００１５】
また、コア部材１１ａの前壁１１ｃは、上側に円状の開口１１ｅ（図７参照）が形成され、下側に円状の開口１１ｆが形成されている。そして、コア部材１１ａの前壁１１ｃには、前面カバー１２が取り付けられる。
【００１６】
前面カバー１２は、カバー本体１２ａ、透光性カバー１２ｂ、赤外線フィルタ１２ｃで構成される。カバー本体１２ａは、矩形板状に形成され、後面を前壁１１ｃに対向させて、ケース本体１１の前面に取り付けられる。さらにカバー本体１２ａは、コア部材１１ａの開口１１ｅ，１１ｆのそれぞれに対向する円状の開口１２１，１２２が形成されている。透光性カバー１２ｂは、透光性を有しており、開口１２１に対向する円状の開口１２３が形成されて、カバー本体１２ａの前面に取り付けられる。そして、開口１２３には、円板状の赤外線フィルタ１２ｃが嵌め込まれている。赤外線フィルタ１２ｃは、赤外線を透過させるたとえばポリエチレンなどで形成されており、赤外線の波長帯域のみを透過させる。
【００１７】
ケース本体１１の後面には、後面カバー１４が取り付けられる。後面カバー１４は、矩形箱状に形成されたカバー本体１５と、電池カバー１６とを組み合わせて構成される。
【００１８】
カバー本体１５は、２色成形によって形成されている。具体的に、カバー本体１５は、ポリカーボネートで形成されたコア部材１５ａの外面の一部を、ポリエステル系エラストマーである弾性部材１５ｂで覆っている。コア部材１５ａは、電池収納部１５ｃを有する矩形箱状に形成されており、電池収納部１５ｃは、直方体の凹形状に形成されている。また、電池収納部１５ｃの上方には平板状の延設部１５ｄが形成されている。延設部１５ｄには、円筒状の凹部である磁石収納部１５ｅが形成されている。延設部１５ｄの上端には、前方に向かって、Ｌ字状の係止片１５ｎ（図７参照）が形成されており、磁石収納部１５ｅの外周縁に設けた係止爪１５ｐ（図７参照）が係止片１５ｎに引っ掛かっている。
【００１９】
さらに、延設部１５ｄの上端および左右の両端から前方に向かって曲面形状の周壁１５ｆが延設されている。そして、延設部１５ｄの後面、および周壁１５ｆの外面が、弾性部材１５ｂで覆われている。すなわち、延設部１５ｄの上側および左右の両側の周縁は、内側にコア部材１５ａの前端があり、外側に弾性部材１５ｂの前端がある。
【００２０】
また、電池収納部１５ｃの下方には平板状の延設部１５ｇが形成されている。延設部１５ｇには直方体状の凹部１５ｈが形成されている。
【００２１】
また、電池カバー１６も、２色成形によって形成されている。具体的に、電池カバー１６は、ポリカーボネートで形成されたコア部材１６ａの外面の一部を、ポリエステル系エラストマーである弾性部材１６ｂで覆っている。コア部材１６ａは、矩形状の後壁１６ｃと、後壁１６ｃの下端および左右の両端から前方へ延設された曲面形状の周壁１６ｄとを有した矩形板状に形成される。そして、後壁１６ｃの後面、および周壁１６ｄの外面が、弾性部材１６ｂで覆われている。すなわち、電池カバー１６の下側および左右の両側の周縁は、内側にコア部材１６ａの前端があり、外側に弾性部材１６ｂの前端がある。
【００２２】
そして、電池カバー１６は、電池収納部１５ｃを覆うようにカバー本体１５に取り付けられる。つまり、電池カバー１６が電池収納部１５ｃに対向した状態で、電池カバー１６を下方から上方へスライドさせる。これにより、電池カバー１６の上端の中央に設けたＬ字状の係止片１６ｅが、延設部１５ｄの下端に設けた係止爪１５ｉ（図７参照）に引っ掛かり、電池カバー１６がカバー本体１５に取り付けられる。また、電池カバー１６の後壁１６ｃの前面には、板状の壁体１６ｆ（図７参照）が左右方向に形成されている。そして、電池カバー１６がカバー本体１５に取り付けられる際に、壁体１６ｆは凹部１５ｈに嵌め合わされる（図７参照）。
【００２３】
また、電池カバー１６の上端の中央付近を指などで抑えることで、係止片１６ｅと係止爪１５ｉとの引っ掛かりが解除され、電池カバー１６を下方へスライドさせることで、電池カバー１６をカバー本体１５から取り外すことができる。
【００２４】
電池収納部１５ｃは電池が収納されるスペースであり、電池収納部１５ｃの長手方向の両端のそれぞれには、電池の電極に接触する電極ばね１０２ａ，１０２ｂ，１０２ｃが位置する。本実施形態の電気機器Ａ１では、２本の単３型の電池を用いているが、単１型、単２型、単４型などであってもよい。また、本実施形態の電気機器Ａ１は、１本または３本以上の電池を用いる構成であってもよい。
【００２５】
また、カバー本体１５の磁石収納部１５ｅには、磁石ユニット６が収納される。磁石ユニット６は、ヨーク（磁石ホルダー）６ａと、磁石６ｂと、磁石カバー６ｃとで構成される。ヨーク６ａは、一端面を閉塞した円筒状に形成された継鉄であり、円状の底部６１、底部６１の周縁から延設された周壁６２で構成されて、円柱状の凹部６３を有している。底部６１の前面には、ボス６４（図８参照）が設けられて、ボス６４の中心にねじ孔６５が前後方向に形成されている（図８参照）。そして、凹部６３の底面には、円板状の磁石６ｂ（たとえばネオジウム磁石）が配置され、磁石６ｂは、凹部６３の底面と円板状の磁石カバー６ｃとの間に挟まれる。凹部６３の内径は、磁石６ｂの外径よりわずかに大きく、磁石６ｂの前面、側面は、ヨーク６ａに対向して囲まれている。すなわち、磁石６ｂは、後面を除いてヨーク６ａに囲まれている。磁石カバー６ｃは、ポリエステル系エラストマーである弾性部材であり、凹部６３の開口周縁に接着固定される。磁石ユニット６の後端面には、ヨーク６ａの周壁６２の先端部６６が環状に露出しており、先端部６６の内周側に円板状の磁石カバー６ｃが配置されている。なお、磁石カバー６ｃは、磁石６ｂを保護するために設けており、磁石カバー６ｃは省略してもよい。
【００２６】
カバー本体１５の磁石収納部１５ｅの前面には、ボス１５ｑ（図８参照）が形成されており、ボス１５ｑの端面には凹部１５ｒが形成されている。そして、凹部１５ｒの底面には、ボス１５ｑの軸方向に挿通孔１５ｊが形成されており、ねじ１０１が前方から挿通孔１５ｊを挿通して、ヨーク６ａのねじ孔６５にねじ込まれる。そして、ねじ１０１の先端が、磁石６ｂの前面に当接することで、磁石ユニット６がカバー本体１５の磁石収納部１５ｅ内に固定される（図８参照）。
【００２７】
カバー本体１５の磁石収納部１５ｅの開口縁１５ｋは、弾性部材１５ｂで覆われており、開口縁１５ｋは、磁石収納部１５ｅの中心に進むにしたがって前方に傾斜した曲面に形成されている。さらに、ヨーク６ａの周壁６２の先端部６６は、凹部６３の中心に進むにしたがって前方に傾斜した曲面に形成されている。また、磁石カバー６ｃは、後面６７が曲面に形成されている。そして、開口縁１５ｋ、周壁６２の先端部６６、磁石カバー６ｃの後面６７（磁石収納部１５ｅから後方に露出する面）は、連続する１つの曲面で形成される凹部９を構成する。凹部９の内面の周縁は開口縁１５ｋである。つまり、凹部９の内面の周縁には、弾性部材１５ｂが形成されている。
【００２８】
また、ケース本体１１内には、メイン基板２、センサユニット３、ミラー４が収納される（図３、図７参照）。
【００２９】
センサユニット３は、矩形状のセンサ基板３１に人感センサ３２が実装されて構成される。前壁１１ｃの後面には、弾性を有する一対の挟持片１１ｇ（図３参照）が形成されており、人感センサ３２が一対の挟持片１１ｇ間に挟み込まれることによって、センサユニット３がケース本体１１に取り付けられる。
【００３０】
人感センサ３２は、焦電型の赤外線センサである。人感センサ３２の検知面は、開口１１ｅの下端に臨むように上向きに配置されている。前壁１１ｃの後面には、傾斜面を有する板状のリブ１１ｈが開口１１ｅの後方に形成されている。リブ１１ｈは、人感センサ３２の検知面と上下方向に対向しており、リブ１１ｈの傾斜面にミラー４が配置される。すなわち、人感センサ３２の検知面は、ミラー４と対向している。そして、赤外線フィルタ１２ｃおよび開口１２１，１１ｅを通って入射した赤外線がミラー４で反射されて、人感センサ３２の検知面に入射する。人感センサ３２は、赤外線の入射量に応じた電気信号（検知信号）を出力する。センサ基板３１は信号線によってメイン基板２に電気的に接続している。そして、人感センサ３２の検知信号はメイン基板２に設けられた制御回路に入力される。制御回路では、検知信号に基づいて人が存在していると判断した場合、撮像ユニット５による撮像画像のデータを無線通信回路から無線信号で送信する。
【００３１】
また、前壁１１ｃの後面には、柱状の複数のリブ１１ｉが設けられている（図６参照）。メイン基板２は、その前面が複数のリブ１１ｉのそれぞれの先端に当接して、ケース本体１１内に配置される。メイン基板２の前面には撮像ユニット５が実装されており、開口１１ｆ，１２２、透光性カバー１２ｂを介して、前方の画像を撮像できる。
【００３２】
さらに、前壁１１ｃの後面には、円柱状の一対のボス１１ｊが設けられており（図６参照）、メイン基板２は、ボス１１ｊの先端のそれぞれに対向する箇所に孔２ａ（図３参照）が形成されている。ボス１１ｊのそれぞれの先端面には、軸方向にねじ孔が形成されている。そして、カバー本体１５の電池収納部１５ｃの底面には、一対の挿通孔が形成されている。これらの一対の挿通孔をそれぞれ後方から挿通したねじ１０３が、メイン基板２の一対の孔２ａを通って、ボス１１ｊのそれぞれのねじ孔にねじ込まれることで、カバー本体１５が、ケース本体１１に取り付けられる。
【００３３】
また、カバー本体１５のコア部材１５ａの前面には、柱状の複数のリブ１５ｓが設けられている（図３、図６参照）。そして、ケース本体１１の後面にカバー本体１５が取り付けられると、メイン基板２は、その後面が複数のリブ１５ｓのそれぞれの先端に当接して、ケース本体１１内に収納される。
【００３４】
そして、ケース本体１１に後面カバー１４（カバー本体１５、電池カバー１６）を取り付けると、後面カバー１４の弾性部材１５ｂおよび弾性部材１６ｂの前端が、ケース本体１１の弾性部材１１ｂの後端に当接し、弾性部材１１ｂと弾性部材１５ｂ，１６ｂとが撓んで密着する。したがって、外見上、ケース本体１１と後面カバー１４との境界が見え難くなり、いわゆるシームレス構造となる。以下、このシームレス構造について説明する。
【００３５】
なお、弾性部材１１ｂは、コア部材１１ａより弾性限界が高い（高弾性である）。また、弾性部材１５ｂは、コア部材１５ａより弾性限界が高い。また、弾性部材１６ｂは、コア部材１６ａより弾性限界が高い。なお、弾性部材１１ｂ，１５ｂ，１６ｂの材料は、ポリエステル系エラストマーに限定されない。また、コア部材１１ａ，１５ａ，１６ａの材料は、ポリカーボネートに限定されない。
【００３６】
図１、図２は、ケース本体１１と電池カバー１６との境界付近の拡大図である。ここで、ケース本体１１が第１部材に相当し、電池カバー１６が第２部材に相当する。さらに、ケース本体１１の側壁１１ｄと、側壁１１ｄに形成された弾性部材１１ｂとで、第１壁部１１０が構成される。また、電池カバー１６の周壁１６ｄと、周壁１６ｄに形成された弾性部材１６ｂとで、第２壁部１６０が形成される。また、側壁１１ｄが第１コア部材に相当し、弾性部材１１ｂが第１弾性部材に相当する。また、周壁１６ｄが第２コア部材に相当し、弾性部材１６ｂが第２弾性部材に相当する。
【００３７】
ケース本体１１の弾性部材１１ｂの後端１１２は、外面側が内面側より後方に突出するように段部１１２ａ（第１段部）が形成されており、基端１１２ｂから後方に突出した凸部１１２ｃが形成されている。すなわち、凸部１１２ｃの先端が、後端１１２の先端となる。このとき、凸部１１２ｃの前後方向の長さをＬ１とする（図９参照）。
【００３８】
また、前後方向において、ケース本体１１のコア部材１１ａの後端１１１（先端）は、基端１１２ｂと同位置になる。すなわち、凸部１１２ｃは、コア部材１１ａの後端１１１より後方に突出している。
【００３９】
また、前後方向において、電池カバー１６の弾性部材１６ｂの前端１６２（先端）は、コア部材１６ａの前端１６１（先端）と同一位置になる。
【００４０】
そして、後面カバー１４がケース本体１１の後面に取り付けられると、弾性部材１６ｂの前端１６２が、弾性部材１１ｂの凸部１１２ｃに突き当たる。この結果、弾性部材１６ｂ、および弾性部材１１ｂの凸部１１２ｃが撓んで、前端１６２と凸部１１２ｃとが互いに前後方向に密着する。この場合、弾性部材１１ｂの後端１１２が部分的に撓みやすくなり、第１壁部１１０と第２壁部１６０との間の外面の隙間をより小さくできる。
【００４１】
このとき、コア部材１１ａの後端１１１とコア部材１６ａの前端１６１とは、前後方向に隙間Ｙ１を挟んで対向している。したがって、コア部材１１ａとコア部材１６ａとの干渉を防ぐことができるので、組み立て性が向上する。また、隙間Ｙ１の前後方向の長さは、凸部１１２ｃの前後方向の長さＬ１から、弾性部材１６ｂおよび凸部１１２ｃの撓み量を引いたＬ２（＜Ｌ１）となる（図９参照）。
【００４２】
したがって、ケース本体１１と電池カバー１６との外観上の境界は、弾性部材１１ｂの凸部１１２ｃと弾性部材１６ｂの前端１６２とが密着しているので、隙間が生じにくい。すなわち、電気機器Ａ１は、ケース本体１１と電池カバー１６との間の外面の隙間を小さくできる。したがって、埃、塵などの付着、筐体１内への埃、塵などの侵入が抑えられる。さらには、ケース本体１１と電池カバー１６との外観上の境界が見えにくくなり、ケース本体１１と電池カバー１６との一体感が感じられて、デザイン性の向上につながる。
【００４３】
また、第１変形例として図１０に示すように、段部１１２ａを設けることなく、弾性部材１１ｂの後端１１２（先端）がコア部材１１ａの後端１１１（先端）より後方へ突出する構成であってもよい。この場合、弾性部材１６ｂの前端１６２が、弾性部材１１ｂの後端１１２に突き当たる。そして、弾性部材１６ｂおよび弾性部材１１ｂが撓んで、前端１６２と後端１１２とが互いに前後方向に密着する。このとき、コア部材１１ａの後端１１１とコア部材１６ａの前端１６１とは、前後方向に隙間Ｙ２を挟んで対向している。
【００４４】
また、第２変形例として図１１Ａに示すように、電池カバー１６の弾性部材１６ｂの前端１６２に、段部１６２ａ（第２段部）を設けてもよい。段部１６２ａは、外面側が内面側より前方に突出するように形成されており、基端１６２ｂから前方に突出した凸部１６２ｃが形成されている。すなわち、凸部１６２ｃの先端が、前端１６２の先端となる。
【００４５】
また、前後方向において、電池カバー１６のコア部材１６ａの前端１６１（先端）は、基端１６２ｂと同位置になる。すなわち、凸部１６２ｃは、コア部材１６ａの前端１６１より前方に突出している。
【００４６】
また、前後方向において、ケース本体１１の弾性部材１１ｂの後端（先端）は、コア部材１１ａの後端１１１（先端）と同位置になる。
【００４７】
そして、電池カバー１６がケース本体１１の後面に取り付けられると、弾性部材１６ｂの凸部１６２ｃが、弾性部材１１ｂの後端１１２に突き当たる。この結果、弾性部材１６ｂの凸部１６２ｃ、および弾性部材１１ｂが撓んで、凸部１６２ｃと弾性部材１１ｂとが互いに前後方向に密着する。この場合、弾性部材１６ｂの前端１６２が部分的に撓みやすくなり、第１壁部１１０と第２壁部１６０との間の外面の隙間をより小さくできる。
【００４８】
このとき、コア部材１１ａの後端１１１とコア部材１６ａの前端１６１とは、前後方向に隙間Ｙ３を挟んで対向している。
【００４９】
また、第３変形例として図１１Ｂに示すように、段部１６２ａを設けることなく、弾性部材１６ｂの前端１６２（先端）がコア部材１６ａの前端１６１（先端）より前方へ突出する構成であってもよい。この場合、弾性部材１６ｂの前端１６２が、弾性部材１１ｂの後端１１２に突き当たる。そして、弾性部材１６ｂおよび弾性部材１１ｂが撓んで、前端１６２と後端１１２とが互いに前後方向に密着する。このとき、コア部材１１ａの後端１１１とコア部材１６ａの前端１６１とは、前後方向に隙間Ｙ４を挟んで対向している。
【００５０】
また、第４変形例として図１２Ａに示すように、上述の段部１１２ａ、１６２ａの両方を設けてもよい。この場合、電池カバー１６がケース本体１１の後面に取り付けられると、弾性部材１６ｂの凸部１６２ｃが、弾性部材１１ｂの凸部１１２ｃに突き当たる。この結果、弾性部材１６ｂの凸部１６２ｃ、および弾性部材１１ｂの凸部１１２ｃが撓んで、凸部１６２ｃとの凸部１１２ｃとが互いに前後方向に密着する。
【００５１】
このとき、コア部材１１ａの後端１１１とコア部材１６ａの前端１６１とは、前後方向に隙間Ｙ５を挟んで対向している。
【００５２】
また、第５変形例として図１２Ｂに示すように、段部１１２ａ，１６２ａを設けない構成であってもよい。この場合、弾性部材１１ｂの後端１１２（先端）がコア部材１１ａの後端１１１（先端）より後方へ突出し、弾性部材１６ｂの前端１６２（先端）がコア部材１６ａの前端１６１（先端）より前方へ突出する。そして、弾性部材１６ｂの前端１６２が、弾性部材１１ｂの後端１１２に突き当たり、弾性部材１６ｂおよび弾性部材１１ｂが撓んで、前端１６２と後端１１２とが互いに前後方向に密着する。このとき、コア部材１１ａの後端１１１とコア部材１６ａの前端１６１とは、前後方向に隙間Ｙ６を挟んで対向している。
【００５３】
上述の第１変形例〜第５変形例のそれぞれの構成においても、ケース本体１１と電池カバー１６との外観上の境界は、弾性部材１１ｂと弾性部材１６ｂとが密着しているので、隙間が生じにくい。したがって、埃、塵などの付着、筐体１内への埃、塵などの侵入が抑えられる。さらには、ケース本体１１と電池カバー１６との外観上の境界が見えにくくなり、ケース本体１１と電池カバー１６との一体感が感じられて、デザイン性の向上につながる。
【００５４】
また、ケース本体１１を第１部材とし、カバー本体１５を第２部材としても、上記同様の効果を得ることができる。この場合、カバー本体１５の延設部１５ｄの周壁１５ｆと、周壁１５ｆに形成された弾性部材１５ｂとで第２壁部１５０が形成される（図３、図４、図７参照）。また、周壁１５ｆが第２コア部材に相当し、弾性部材１５ｂが第２弾性部材に相当する。この場合、電気機器Ａ１は、ケース本体１１とカバー本体１５との間の外面の隙間を小さくできる。
【００５５】
また、本実施形態では、コア部材１１ａの外面に２色成形によって弾性部材１１ｂを形成している。また、コア部材１５ａの外面に２色成形によって弾性部材１５ｂを形成している。また、コア部材１６ａの外面に２色成形によって弾性部材１６ｂを形成している。したがって、コア部材１１ａ，１５ａ，１６ａの変形、歪みを、弾性部材１１ｂ，１５ｂ，１６ｂがそれぞれ吸収できるので、外観品質の向上につながる。
【００５６】
ところで、本実施形態の電気機器Ａ１は、図１３、図１４に示すように、保持部材Ｂ１に着脱自在に保持されるようになっている。以下、保持部材Ｂ１について説明する。保持部材Ｂ１は、中空の半球状に形成されており、半球状の接続部７１と、円板状のベース７２とを備える。
【００５７】
接続部７１は、半球状のお椀型であり、鉄で形成されている。接続部７１は、磁性（強磁性が好ましい）を有する素材であればよく、鉄以外の磁性体で形成されてもよい。ベース７２には、その中心からずれた位置に挿通孔７２ａが設けられている。そして、挿通孔７２ａにねじを前方から通し、壁面などの構造面１００にねじがねじ込まれることによって、ベース７２は、構造面１００に固定される。
【００５８】
接続部７１は、ベース７２に着脱自在に取り付けられる構造となっている。つまり、接続部７１およびベース７２は、それぞれ互いに係止する係止部を備えている。そして、構造面１００に固定されたベース７２に接続部７１を当接させた状態で、接続部７１を第１向き（ここでは、時計回り）に回転させることで、接続部７１の係止部とベース７２の係止部とが互いに係止して、接続部７１がベース７２に取り付けられる。また、接続部７１を第２向き（ここでは、反時計回り）に回転させることで、接続部７１とベース７２との係止状態が解除されて、接続部７１がベース７２から取り外される。
【００５９】
次に、本実施形態の電気機器Ａ１が保持部材Ｂ１に保持される保持構造について説明する。ここでは、ベース７２は構造面１００に固定されていると仮定する。また、ここでは、接続部７１はベース７２に取り付けられていると仮定する。
【００６０】
電気機器Ａ１の筐体１の後面に形成された凹部９を、保持部材Ｂ１の接続部７１に近付けると、筐体１は磁石ユニット６の磁力によって磁性を有する接続部７１に引き付けられ、凹部９が接続部７１に当接する。以降、筐体１は、磁石ユニット６の磁力によって磁性を有する接続部７１に保持された状態となる。そして、電気機器Ａ１の撮像ユニット５の撮像方向、人感センサ３２の検知方向を変更する場合、ユーザは、筐体１が保持部材Ｂ１に保持されている状態で、筐体１に回転力を与える。この結果、凹部９が接続部７１に接触した状態で、筐体１は回転し、筐体１の構造面１００に対する取付方向を調整することができる。
【００６１】
したがって、本実施形態の電気機器Ａ１では、筐体１が磁力によって保持部材Ｂ１に保持されるので、筐体１の取付方向を調整する際に面倒な作業を行う必要がなく、筐体１の構造面１００に対する取付方向を容易に調整できる。
【００６２】
そして、電気機器Ａ１は、電池収納部１５ｃに収納された電池を電源として動作し、撮像ユニット５の撮像画像のデータを、無線信号によって送信する機能を有する。このような電気機器Ａ１は、たとえば高齢者、子供などの見守りサービスに用いられる。高齢者、子供の住居または部屋の壁などに保持部材Ｂ１を固定し、この保持部材Ｂ１に電気機器Ａ１を取り付けて、家族が使用するスマートフォン、携帯電話、タブレット端末、パーソナルコンピュータ、あるいは見守りサービスの事業者が管理するサーバへ、撮像画像のデータを送信する。そして、家族または見守りサービスの事業者は、高齢者、子供の行動、状態を把握することができる。
【００６３】
なお、電気機器Ａ１が用いる無線通信の仕様としては、無線ＬＡＮ（Local Area Network）、Bluetooth（登録商標）などから適宜に選択されればよく、無線通信の仕様は限定されない。
【００６４】
上述の電気機器Ａ１は、板状の第１壁部１１０を備えた第１部材（ケース本体１１）と、板状の第２壁部１５０、１６０を備えた第２部材（カバー本体１５、電池カバー１６）とを備える。そして、第１壁部１１０の先端と第２壁部１５０、１６０の先端とを互いに対向させて突き当てることで筐体１を構成する。第１壁部１１０は、第１コア部材（側壁１１ｄ）と、第１コア部材の外面に形成した第１弾性部材（弾性部材１１ｂ）とで構成される。第２壁部１５０または１６０は、第２コア部材（周壁１５ｆ、周壁１６ｄ）と、第２コア部材の外面に形成した第２弾性部材（弾性部材１５ｂ、１６ｂ）とで構成される。第１弾性部材の先端と第２弾性部材の先端とを互いに対向させて突き当てた場合、第１コア部材の先端と第２コア部材の先端との間に隙間（Ｙ１〜Ｙ６）が形成される。
【００６５】
したがって、ケース本体１１とカバー本体１５、電池カバー１６との外観上の境界は、隙間が生じにくい。したがって、埃、塵などの付着、筐体１内への埃、塵などの侵入が抑えられる。さらには、ケース本体１１とカバー本体１５、電池カバー１６との外観上の境界が見えにくくなり、ケース本体１１とカバー本体１５、電池カバー１６との一体感が感じられて、デザイン性の向上につながる。すなわち、電気機器Ａ１は、筐体１を構成する部材間（ケース本体１１とカバー本体１５、電池カバー１６との間）の外面の隙間を小さくできる。
【００６６】
また、第１弾性部材の先端は、第１コア部材の先端よりも突出していることが好ましい。
【００６７】
この場合、第１部材側の構成によって、第１コア部材の先端と第２コア部材の先端との間に隙間（Ｙ１，Ｙ２，Ｙ５，Ｙ６）を形成することができる。
【００６８】
また、第２弾性部材の先端は、第２コア部材の先端よりも突出していることが好ましい。
【００６９】
この場合、第２部材側の構成によって、第１コア部材の先端と第２コア部材の先端との間に隙間（Ｙ３，Ｙ４，Ｙ５，Ｙ６）を形成することができる。
【００７０】
また、第１弾性部材の先端は、第１弾性部材の外面側の突出量が内面側の突出量より大きい第１段部（段部１１２ａ）を有することが好ましい。
【００７１】
この場合、第１弾性部材の先端が部分的に撓みやすくなり、部材間の外面の隙間をより小さくできる。
【００７２】
また、第２弾性部材の先端は、第２弾性部材の外面側の突出量が内面側の突出量より大きい第２段部（段部１６２ａ）を有することが好ましい。
【００７３】
この場合、第２弾性部材の先端が部分的に撓みやすくなり、部材間の外面の隙間をより小さくできる。
【００７４】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【符号の説明】
【００７５】
Ａ１  電気機器
１  筐体
１１  ケース本体（第１部材）
１１ａ  コア部材
１１ｂ  弾性部材（第１弾性部材）
１１ｄ  側壁（第１コア部材）
１２  前面カバー
１４  後面カバー
１５  カバー本体（第２部材）
１５ａ  コア部材
１５ｂ  弾性部材（第２弾性部材）
１５ｅ  磁石収納部
１５ｆ  周壁（第２コア部材）
１５ｋ  開口縁
１６  電池カバー（第２部材）
１６ａ  コア部材
１６ｂ  弾性部材（第２弾性部材）
１６ｄ  周壁（第２コア部材）
６  磁石ユニット
６ａ  ヨーク
６ｂ  磁石
６ｃ  磁石カバー
６６  先端部
２  メイン基板
３  センサユニット
４  ミラー
５  撮像ユニット
Ｂ１  保持部材
７１  接続部
７２  ベース
９  凹部
１００  構造面
１１０  第１壁部
１５０  第２壁部
１６０  第２壁部
【図１】
0006587179.tif 000002
【図２】
0006587179.tif 000003
【図３】
0006587179.tif 000004
【図４】
0006587179.tif 000005
【図５】
0006587179.tif 000006
【図６】
0006587179.tif 000007
【図７】
0006587179.tif 000008
【図８】
0006587179.tif 000009
【図９】
0006587179.tif 000010
【図１０】
0006587179.tif 000011
【図１１】
0006587179.tif 000012
【図１２】
0006587179.tif 000013
【図１３】
0006587179.tif 000014
【図１４】
0006587179.tif 000015